(57)【要約】      （修正有）【課題】フェルティングニードルを使って製作するカラフルで、取り扱い性にも優れ、しかも実用性も兼ね備えたアクリル繊維製ニードルフェルトを提供する。【解決手段】フェルティングニードル４でアクリル繊維５を繰り返し刺してアクリル繊維５を互いに絡ませることにより任意の形状に製作する。フェルティングニードル４は、グリップ４１と、このグリップ４１の一端から突設された複数本のニードル４２とからなるものである。各ニードル４２の外面には、複数のバーブが形成されている。これによって、アクリル繊維５をフェルティングニードル４で刺した際に、ニードル４２のバーブがアクリル繊維５に引っ掛かり、フェルティングニードル４の抜き差しによって、外層に位置する繊維が内層に引き込まれ、また、内層に位置する繊維が外層に引き出されることとなり、アクリル繊維５のフェルト化が進行する。【選択図】図１
0003178929.tif 000002
【実用新案登録請求の範囲】
【請求項１】
フェルティングニードルでアクリル繊維を繰り返し刺して前記アクリル繊維を互いに絡ませることにより任意の形状に製作されたことを特徴とするアクリル繊維製ニードルフェルト。
【請求項２】
請求項１に記載のアクリル繊維製ニードルフェルトであって、
前記の形状は、動物、植物等の任意の生物を模した形状、或いは、菓子、果物、野菜等の任意の食品を模した形状から選択されたことを特徴とするアクリル繊維製ニードルフェルト。
【請求項３】
請求項１又は２に記載のアクリル繊維製ニードルフェルトであって、
洗剤を併用しない洗浄に供されることを特徴とするアクリル繊維製ニードルフェルト。
【請求項４】
請求項１から３までのいずれか１に記載のアクリル繊維製ニードルフェルトの製作に供されるアクリル繊維製ニードルフェルト製作キットであって、
アクリル繊維と、アクリル繊維製ニードルフェルトの製作に係るテキストとを少なくとも含むアクリル繊維製ニードルフェルト製作キット。
【考案の詳細な説明】
【技術分野】
【０００１】
本考案は、アクリル繊維製ニードルフェルト及びアクリル繊維製ニードルフェルト製作キットに関する。
【背景技術】
【０００２】
従来より、まとまった量の羊毛を、フェルティングに適したマット上に載せて、例えば特許文献１〜３に開示されているようなフェルティングニードルで多数回に亘って刺すことによりフェルト化し、種々の小物手芸作品を製作することが行われており、近時、オリジナリティの高いものを比較的簡単に自作できることから女性の間で人気を博するようになってきている。
【先行技術文献】
【特許文献】
【０００３】
【特許文献１】特開平５−２１４６５９号公報
【特許文献２】意匠登録第１３７７１９８号公報
【特許文献３】意匠登録第１１９１７１４号公報
【考案の概要】
【考案が解決しようとする課題】
【０００４】
しかしながら、上記従来の羊毛を使用したニードルフェルトにあっては、羊毛の性質として染まりはよいが発色は彩度が落ちることから、カラフルな仕上がりのものが得にくく、しかも、羊毛は天然繊維であることから虫がつき易く、このためフェルティングの前後に拘らず保管に防虫の配慮も必要になるといった不都合があった。
【０００５】
また、従来の羊毛を使用したニードルフェルトは、観賞の対象やアクセサリーの用途しかなく、実用性は皆無であった。
【０００６】
本考案は、係る点に鑑みて創案されたものであり、その目的とするところは、カラフルで、取り扱い性にも優れ、しかも実用性も兼ね備えたアクリル繊維製ニードルフェルト及びアクリル繊維製ニードルフェルト製作キットを提供することを目的とする。
【課題を解決するための手段】
【０００７】
ところで、従来、フェルティングには羊毛が最適の繊維とされていた。それは、羊毛には繊維の表面にキューティクルがあり、このキューティクルによって繊維同士が絡み易く、したがってフェルティングニードルを刺すことにより羊毛の繊維同士が確実に絡んでフェルト化し易かったためである。これに対して、合成繊維であるアクリル繊維は、羊毛に見られるようなキューティクルがないことから、これまでフェルティングニードルを刺しても繊維同士が絡むことはないと考えられていた。このため、アクリル繊維をフェルティングニードルによりフェルト化することはできないとされていた。
【０００８】
しかし、本願の考案者は、実際にアクリル繊維にフェルティングニードルを刺すと、羊毛の場合と同様に、アクリル繊維同士が絡んでフェルト化できることを見出し、本考案を完成するに至った。ここで、アクリル繊維でもフェルティングニードルを刺すとフェルト化できる理由としては、アクリル繊維における微細なリップルの存在が考えられる。
【０００９】
以上のことから、本考案に係るアクリル繊維製ニードルフェルトは、フェルティングニードルでアクリル繊維を繰り返し刺して前記アクリル繊維を互いに絡ませることにより任意の形状に製作されたことを特徴とするものである。
【００１０】
本考案によれば、アクリル繊維は、羊毛に比べて発色が極めてきれいであることから、カラフルなニードルフェルトを得ることができるとともに、一切虫がつかないため、防虫の配慮が不要で取り扱い性に優れている。
【００１１】
また、本ニードルフェルトは、アクリル繊維製であるため、洗剤を使用しなくとも湯や水だけで十分洗浄効果が得られる。したがって、観賞の対象、或いは、アクセサリーの用途のみならず、洗浄用具としても使用することができ、実用性にも優れている。
【００１２】
上記のアクリル繊維製ニードルフェルトは、その形状が、動物、植物等の任意の生物を模した形状、或いは、菓子、果物、野菜等の任意の食品を模した形状から選択されるとよい。
【００１３】
また、本考案に係るアクリル繊維製ニードルフェルト製作キットは、アクリル繊維と、アクリル繊維製ニードルフェルトの製作に係るテキストとを少なくとも含むものである。
【００１４】
したがって、初心者でもテキストを参照すれば容易にアクリル繊維製ニードルフェルトを製作することができる。
【考案の効果】
【００１５】
本考案によれば、カラフルで、取り扱い性にも優れ、しかも実用性も兼ね備えたアクリル繊維製ニードルフェルト及びアクリル繊維製ニードルフェルト製作キットを提供することができる。
【図面の簡単な説明】
【００１６】
【図１】図１は、本考案に係るアクリル繊維製ニードルフェルトの製作途中を示す概略正面図である。なお、アクリル繊維とフェルティング用マットは断面で示している。
【図２】図２は、フェルティングニードルを示し、図２（ａ）は、フェルティングニードルの先端部分を示す正面図、図２（ｂ）は、フェルティングニードルにおけるバーブを示す部分拡大図である。
【図３】図３は、フェルティング用マットを示す斜視図である。
【図４】図４は、本考案に係るアクリル繊維製ニードルフェルトの一具体例を示す正面図である。
【図５】図５は、本考案に係るアクリル繊維製ニードルフェルトの他の具体例を示す斜視図である。
【図６】図６は、本考案に係るアクリル繊維製ニードルフェルトのさらに他の具体例を示す図である。
【図７】図７は、本考案に係るアクリル繊維製ニードルフェルトのさらに他の具体例を示す正面図である。
【図８】図８は、本考案に係るアクリル繊維製ニードルフェルトのさらに他の具体例を示す斜視図である。
【図９】図９は、本考案に係るアクリル繊維製ニードルフェルトのさらに他の具体例を示す斜視図である。
【図１０】図１０は、本考案に係るアクリル繊維製ニードルフェルトのさらに他の具体例を示す平面図である。
【考案を実施するための形態】
【００１７】
以下、本考案の一実施形態について、図面を参照して説明する。
【００１８】
図１は、本考案に係るアクリル繊維製ニードルフェルトの製作途中を示す概略正面図、図２（ａ）は、フェルティングニードルの先端部分を示す正面図、図２（ｂ）は、フェルティングニードルにおけるバーブを示す部分拡大図、図３は、フェルティング用マットを示す斜視図である。図４〜図１０は、いずれも、アクリル繊維製ニードルフェルトの具体例を示す図である。
【００１９】
本考案に係るアクリル繊維製ニードルフェルトＦは、フェルティングニードル４でアクリル繊維５を繰り返し刺して、アクリル繊維５を互いに絡ませることにより任意の形状に製作されたものである。
【００２０】
また、本考案に係るアクリル繊維製ニードルフェルト製作キットは、アクリル繊維５と、アクリル繊維製ニードルフェルトの製作に係るテキスト（図示省略）とを少なくとも含むものである。
【００２１】
したがって、初心者でもテキストを参照すれば容易にアクリル繊維製ニードルフェルトを製作することができる。
【００２２】
なお、上記テキストは、小冊子やシートのような紙媒体でもよいし、静止画、動画、音声のいずれか一種類又はそれらのうちの二種類或いはすべての種類が記録されたＣＤやＤＶＤなどの電子媒体であってもよい。また、上記キットには、さらに、アクリル繊維５を刺して相互に絡ませるフェルティングニードル４と、このフェルティングニードル４によるフェルティングの際にアクリル繊維５を載置するフェルティング用マット１の両方或いはいずれか一方を含んでいてもよい。
【００２３】
アクリル繊維５は、上記キットにおいて、一つのニードルフェルトＦを製作するのに必要な量がセットされている。また、一つのキットにセットされるアクリル繊維は、その全量が同色のものであってもよいし、異なる色に染められた複数色の組み合わせからなっていてもよい。要するに、上記キットには、ニードルフェルトＦの形態に相応しい色と量のアクリル繊維５がセットされていればよい。
【００２４】
フェルティングニードル４は、図１及び図２に示すように、グリップ４１と、このグリップ４１の一端から突設された複数本のニードル４２とからなるものである。図示例のものでは、ニードル４２は３本であるが、本数は限定されず、例えば、１本又は２本でも、或いは、４本以上であってもよい。各ニードル４２の外面には、図２に示すように、複数のバーブ４２ａが形成されている。これによって、アクリル繊維５をフェルティングニードル４で刺した際に、ニードル４２のバーブ４２ａがアクリル繊維５に引っ掛かり、フェルティングニードル４の抜き差しによって、外層に位置する繊維が内層に引き込まれ、また、内層に位置する繊維が外層に引き出されることとなり、アクリル繊維５のフェルト化が進行する。なお、ニードル４２の形態及びバーブ４２ａの形態は、図示例のものに限らない。
【００２５】
フェルティング用マット１は、図１及び図３に示すように、その上面に置いて用いられるマットカバー２を備えたものである。マット１とマットカバー２とは、大きさは同一であってもよいが、図３に示すように、マットカバー２をやや小さく形成してもよい。またマットカバー２をマット１の上に載置する際、特に固定する必要はないが仮止めしておくことが位置ずれを起こさないため好適である。マット１及びマットカバー２は、いずれも例えば、発泡ポリエチレン、発泡ポリスチレン、発泡ポリウレタン等の発泡樹脂材によって構成されている。マット１は比較的厚く、好ましくは１５〜２５ｍｍの厚さで硬く成形され、一方、マットカバー２はマット１に比較して薄く、かつ柔軟性を有して、好ましくは２〜４ｍｍの厚さで成形されている。なお、両者の厚みは、上記の例に限定されるものではない。また、マット１及びマットカバー２は上記のように発泡樹脂材で構成されるが、この場合、同質の、即ち、同じ合成樹脂材同志であることが好ましいが必らずしもこれに限らず、異質の、例えばマット１を発泡ポリエチレンで構成し、マットカバー２を発泡ポリスチレンで構成してもよい。
【００２６】
図１は、フェルト化を行っている状態を示しており、不要な雑誌等よりなる下敷マットやテーブル３の上に、上記のマット１を置き、その上にマットカバー２を重ね、適当な量のアクリル繊維５をマットカバー２の上に載せ、フェルティングニードル４により突き刺してフェルト化を行っている。
【００２７】
以上のようにして製作されたアクリル繊維製ニードルフェルトＦの具体例を図４〜図１０に示す。
【００２８】
図４に示すアクリル繊維製ニードルフェルトＦは、ネズミを模したものであり、本体部分Ｆ１と鼻部分Ｆ２とを色の異なるアクリル繊維（例えば、本体部分Ｆ１を黄色のアクリル繊維、鼻部分Ｆ２を黒色のアクリル繊維）で個々に作製してから、両者Ｆ１，Ｆ２を当接させた状態で、両者Ｆ１，Ｆ２の境界部分を、例えば１本のニードルからなるフェルティングニードル（図示省略）で繰り返し刺すことにより、両者Ｆ１，Ｆ２の互いの繊維同士を絡ませ、最終的に両者Ｆ１，Ｆ２を一つに合体させている。尻尾Ｔは、紐部材からなり、本体部分Ｆ１に挿着されている。耳部分Ｅ１は、フェルティングニードルを用いて本体部分Ｆ１の表面から盛り上がるように形成されている。目部分Ｅ２は、本体部分Ｆ１とは色の異なるアクリル繊維をフェルティングニードルで刺し込むことで形成されている。
【００２９】
図５に示すアクリル繊維製ニードルフェルトＦは、小熊の顔を模したものであり、目鼻の各部分Ｅ２，Ｆ２は、図４のネズミの場合と同様にして形成されている。なお、図４に示すものと同一構成部分には同一符号を付している。
【００３０】
図６に示すアクリル繊維製ニードルフェルトＦは、涙滴状に形成した本体Ｆ３に、棒材Ｓが差し込まれた雑貨品とされたものであり、本体Ｆ３の表面に、本体Ｆ３とは色の異なるアクリル繊維を刺し込むことにより、顔の図柄Ｆ４が描かれている。
【００３１】
図７に示すアクリル繊維製ニードルフェルトＦは、ネズミを模したものであり、図４のネズミの場合と同様にして形成されている。なお、尻尾部分Ｆ５は、本体部分Ｆ１と同色のアクリル繊維からなり、鼻部分Ｆ２と同様にして本体部分Ｆ１に合体されている。
【００３２】
図８に示すアクリル繊維製ニードルフェルトＦは、棒材Ｓの一端に猫の脚を模したフェルトＦ６を、他端にネズミを模したフェルトＦ７を取り付けたものである。猫の脚Ｆ６の肉球部分Ｆ８は、脚部分Ｆ６とは異なる色のアクリル繊維からなり、脚部分Ｆ６にフェルティングニードルにより合体されている。ネズミの部分Ｆ７は、図４や図５で説明したのと同様にして形成されている。
【００３３】
図９に示すアクリル繊維製ニードルフェルトＦは、架空の小動物を模したものであり、目Ｂ１と鼻Ｂ２にビーズを用いている点を除いて、上記の各フェルトＦと同様のものである。
【００３４】
図１０に示すアクリル繊維製ニードルフェルトＦは、亀を模したものである。本体部分Ｆ１の上に、本体部分Ｆ１とは別途作製した甲羅部分のフェルトＦ１１が合体されるとともに、本体部分Ｆ１の周囲の適所に、頭部Ｆ９、四肢Ｆ１０、及び尻尾Ｆ５の各フェルトが合体されている。
【００３５】
以上例示した各種のアクリル繊維製ニードルフェルトＦは、アクリル繊維自体が、羊毛に比べて発色が極めてきれいであることから、カラフルに仕上げられるとともに、一切虫がつかないため、防虫の配慮が不要で取り扱い性に優れている。
【００３６】
また、アクリル繊維製であるため、洗剤を使用しなくとも湯や水だけで十分洗浄効果が得られる。したがって、観賞の対象、或いは、アクセサリーの用途のみならず、洗浄用具としても使用することができ、実用性にも優れている。
【００３７】
なお、図４〜図１０に示したアクリル繊維製ニードルフェルトＦの形状は、あくまで例示に過ぎず、これらに限定されるものではない。例えば、植物であってもよいし、菓子、果物、野菜等の任意の食品を模した形状であってもよい。
【符号の説明】
【００３８】
１    フェルティング用マット
４    フェルティングニードル
５    アクリル繊維
Ｆ    アクリル繊維製ニードルフェルト
【図１】
0003178929.tif 000003
【図２】
0003178929.tif 000004
【図３】
0003178929.tif 000005
【図４】
0003178929.tif 000006
【図５】
0003178929.tif 000007
【図６】
0003178929.tif 000008
【図７】
0003178929.tif 000009
【図８】
0003178929.tif 000010
【図９】
0003178929.tif 000011
【図１０】
0003178929.tif 000012
【手続補正書】
【提出日】平成24年6月20日(2012.6.20)
【手続補正１】
【補正対象書類名】実用新案登録請求の範囲
【補正対象項目名】全文
【補正方法】変更
【補正の内容】
【実用新案登録請求の範囲】
【請求項１】
アクリル繊維からなり、外層に位置するアクリル繊維が内層に引き込まれ、内層に位置するアクリル繊維が外層に引き出されてフェルト化されたことを特徴とするアクリル繊維製ニードルフェルト。
【請求項２】
請求項１に記載のアクリル繊維製ニードルフェルトであって、
前記の形状は、動物、植物等の任意の生物を模した形状、或いは、菓子、果物、野菜等の任意の食品を模した形状から選択されたことを特徴とするアクリル繊維製ニードルフェルト。
【請求項３】
請求項１又は２に記載のアクリル繊維製ニードルフェルトであって、
洗浄用具であることを特徴とするアクリル繊維製ニードルフェルト。
【請求項４】
請求項１から３までのいずれか１に記載のアクリル繊維製ニードルフェルトの製作に供されるアクリル繊維製ニードルフェルト製作キットであって、
アクリル繊維と、アクリル繊維製ニードルフェルトの製作に係るテキストとを少なくとも含むアクリル繊維製ニードルフェルト製作キット。
【手続補正２】
【補正対象書類名】明細書
【補正対象項目名】０００９
【補正方法】変更
【補正の内容】
【０００９】
以上のことから、本考案に係るアクリル繊維製ニードルフェルトは、アクリル繊維からなり、外層に位置するアクリル繊維が内層に引き込まれ、内層に位置するアクリル繊維が外層に引き出されてフェルト化されたことを特徴とするものである。
【手続補正書】
【提出日】平成24年8月3日(2012.8.3)
【手続補正１】
【補正対象書類名】実用新案登録請求の範囲
【補正対象項目名】全文
【補正方法】変更
【補正の内容】
【実用新案登録請求の範囲】
【請求項１】
アクリル繊維からなり、外層に位置するアクリル繊維が内層に引き込まれ、内層に位置するアクリル繊維が外層に引き出されてフェルト化されたことを特徴とするアクリル繊維製ニードルフェルト。
【請求項２】
請求項１に記載のアクリル繊維製ニードルフェルトであって、
動物、植物等の任意の生物を模した形状、或いは、菓子、果物、野菜等の任意の食品を模した形状であることを特徴とするアクリル繊維製ニードルフェルト。
【請求項３】
請求項１又は２に記載のアクリル繊維製ニードルフェルトからなる洗浄用具。
【請求項４】
請求項１又は２に記載のアクリル繊維製ニードルフェルトの製作に供されるアクリル繊維製ニードルフェルト製作キットであって、
アクリル繊維と、アクリル繊維製ニードルフェルトの製作に係るテキストとを少なくとも含むアクリル繊維製ニードルフェルト製作キット。